(57)【要約】【課題】セットされた記録媒体の種類に応じて記録ヘッドとプラテン／記録媒体間の間隔調整を自動的に行えると共に、印刷にかかるトータルの時間を短縮できる記録装置を提供する。【解決手段】給紙部２２に記録媒体２１がセットされたことを紙種センサ１２で検出したときに、媒体２１の種類をセンサ１２で判別し、その種類に対応して予め設定されたプラテン間隔（記録ヘッド１１２とプラテン２３の間隔）の設定値を取得する。また、間隔センサ１１によりプラテン間隔の実際値を取得する。そして、前記設定値が実際値と異なる場合に、ヘッド１１２をＡ方向に変位させてプラテン間隔を調整する間隔調整機構を駆動し、プラテン間隔の実際値を変化させ、前記設定値に一致させるように制御する。間隔調整を媒体のセット直後に行うので、印刷にかかるトータルの時間を従来より短縮できる。【選択図】図２
2007160813.tif 000002
【特許請求の範囲】
【請求項１】
記録媒体供給部にセットされたシート状の記録媒体を記録ヘッドとプラテンの間に供給し、記録ヘッドによりプラテン上の記録媒体に画像を記録する記録装置であって、複数種類の記録媒体に記録可能な記録装置において、
記録ヘッドとプラテンの間隔を変化させ調整する間隔調整手段と、
複数種類の記録媒体のそれぞれに対応して予め設定された記録ヘッドとプラテンの間隔の設定値を記憶した記憶手段と、
記録媒体供給部に記録媒体がセットされたことを検出するセット検出手段と、
該セット検出手段により記録媒体のセットが検出されたときに、セットされた記録媒体の種類を判別する判別手段と、
該判別手段により判別した記録媒体の種類に対応した前記間隔の設定値を前記記憶手段から取得する取得手段と、
記録ヘッドとプラテンの間隔の実際値を検出する間隔検出手段と、
前記取得手段により取得した前記間隔の設定値が前記間隔検出手段により検出された間隔の実際値と異なる場合に、前記間隔調整手段を駆動して、記録ヘッドとプラテンの間隔を変化させ、その実際値を前記取得した設定値に一致させるように制御する制御手段を有することを特徴とする記録装置。
【請求項２】
１種類の記録媒体を複数枚収納可能であって、収納した記録媒体の種類の情報が記録された記録媒体収納体を記録媒体供給部にセットして記録媒体を供給可能とし、
前記判別手段として、記録媒体供給部にセットされた前記記録媒体収納体に記録された記録媒体の種類の情報を読み取る手段が設けられたことを特徴とする請求項１に記載の記録装置。
【請求項３】
記録媒体供給部にセットされたシート状の記録媒体を記録ヘッドとプラテンの間に供給し、記録ヘッドによりプラテン上の記録媒体に画像を記録する記録装置であって、複数種類の記録媒体に記録可能、且つ記録ヘッドとプラテンの間隔を変化させて調整可能な記録装置の制御方法であって、
記録媒体供給部に記録媒体がセットされたことを検出するセット検出工程と、
該セット検出工程で記録媒体のセットが検出されたときに、セットされた記録媒体の種類を判別する判別工程と、
該判別工程で判別された記録媒体の種類に対応して予め設定された記録ヘッドとプラテンの間隔の設定値を取得する取得工程と、
記録ヘッドとプラテンの間隔の実際値を検出する間隔検出工程と、
前記取得工程で取得した前記間隔の設定値が前記間隔検出工程で検出された間隔の実際値と異なる場合に、記録ヘッドとプラテンの間隔を変化させ、その実際値を前記取得した設定値に一致させるように制御する制御工程を実行することを特徴とする記録装置の制御方法。
【請求項４】
記録媒体供給部にセットされたシート状の記録媒体を記録ヘッドとプラテンの間に供給し、記録ヘッドによりプラテン上の記録媒体に画像を記録する記録装置であって、複数種類の記録媒体に記録可能、且つ記録ヘッドとプラテンの間隔を変化させて調整可能な記録装置の制御プログラムであって、
記録媒体供給部に記録媒体がセットされたことを検出するセット検出工程と、
該セット検出工程で記録媒体のセットが検出されたときに、セットされた記録媒体の種類を判別する判別工程と、
該判別工程で判別された記録媒体の種類に対応して予め設定された記録ヘッドとプラテンの間隔の設定値を取得する取得工程と、
記録ヘッドとプラテンの間隔の実際値を検出する間隔検出工程と、
前記取得工程で取得した前記間隔の設定値が前記間隔検出工程で検出された間隔の実際値と異なる場合に、記録ヘッドとプラテンの間隔を変化させ、その実際値を前記取得した設定値に一致させるように制御する制御工程を実行するための制御手順を含むことを特徴とする記録装置の制御プログラム。
【発明の詳細な説明】
【技術分野】
【０００１】
本発明は、記録装置、特に、複数種類のシート状記録媒体に画像を記録することができ、記録媒体供給部にセットされた記録媒体の種類に応じて記録ヘッドとプラテンの間隔を自動的に調整できるように構成された記録装置、その制御方法、及びその制御プログラムに関するものである。
【背景技術】
【０００２】
従来、複数のノズル（インク噴射口）を形成した記録ヘッドを記録媒体に対して往復移動させながら、ノズルから記録媒体にインクを噴射することにより、画像の記録（以下、印刷ともいう）を行うインクジェット記録装置がコンピュータの記録出力装置などとして広く用いられている。最近、インクジェット記録装置では、多くの種類の記録媒体（例えば、普通紙、光沢紙、コート紙、あるいは透明画フィルムを含むプラスチック・フィルムなど）に印刷を行うことが求められている。このため、これまで使用者に記録媒体の種類の設定をさせていたのに対して、記録装置にセットされた記録媒体の種類（以下、紙種ともいう）を自動的に判別して紙種の設定を行うことで利便性を向上させた構成が採用されている。例えば、下記の特許文献１に記載されているように、光を記録媒体に照射して反射光を光電センサーで受け、その出力信号により紙種を識別する装置が知られている。このような識別装置を記録装置に適用することにより、使用者は煩わしい紙種の設定を行う必要がなくなり、利便性が向上する。
【０００３】
一方、最近、インクジェット記録装置では記録画像の高画質化も要求されている。高画質化を図るためには、第一に、小さなインク液滴（あるいは濃度の低いインク液滴）を一定の面積に多く打ち込むことによって粒状感を低減させることが重要である。第二に、インク液滴を記録媒体上に正確に着弾させるために、記録媒体と記録ヘッドの間隔（以下、紙間隔という）を縮めて最適な一定間隔にすることが重要である。しかし、前述のように市場では多種多様な記録媒体が存在し、その紙種ごとに厚みが異なる。これに対応できるように、記録装置において紙間隔を調整できるようにした構成が下記の特許文献２などで知られている。
【０００４】
特許文献２の構成では、記録ヘッドをプラテン上の記録媒体に接近する方向に変位させて記録媒体に当接させた後、記録媒体から離れる方向に所定量だけ変位させて紙間隔を一定に調整している。すなわち記録ヘッドとプラテンの間隔（以下、プラテン間隔という）を変化させ調整して紙間隔を一定に調整している。なお、紙間隔の調整とプラテン間隔の調整は結局は同じことであるので、以下で区別する必要のない場合は、両者をまとめて単に間隔調整という。
【０００５】
この間隔調整は、印刷動作中に実施できないので、印刷動作中でないときに行う必要がある。特許文献２では、記録装置がホストから１行分の印刷データ（印字データ）を受信する毎に、その印刷データに基づいて、間隔調整を行う主走査方向の位置を決定し、その位置に記録ヘッドを移動させて間隔調整を行い、その後、１行の印刷を行っている。これは、１行毎に濃淡やカスレを防止して、高品質の印刷を行うためである。
【０００６】
特許文献２では、記録媒体にセットされた記録媒体の種類を判別して間隔調整を行っている訳ではない。これに対して、セットされた記録媒体の種類を判別し、その種類に応じて（種類による厚さに応じて）間隔調整を行う記録装置の構成も知られている。例えばホストコンピュータに接続された記録装置において図５のような制御手順で間隔調整動作を行う構成が知られている。
【０００７】
その手順では、まず非印刷時においてホストコンピュータから印刷データを受信するのを待つ（ステップＳ５１）。そして印刷データを受信したら、紙種を判別する紙種センサにより、給紙部（記録媒体供給部）にセットされた記録媒体の種類を判別する（ステップＳ５２）。続いて、判別した紙種に対応して予め設定されたプラテン間隔の設定値をメモリのテーブルなどから取得する（ステップＳ５３）。そして、実際のプラテン間隔を前記の設定値に一致させるように記録ヘッドを変位させる間隔調整を行う（ステップＳ５４）。調整が終了したら、受信した印刷データに従って印刷を行う（ステップＳ５５）。このようにして、紙種による厚さの相違にかかわらず、紙間隔の値を最適な一定値に調整して高画質の印刷を行うことができる。
【特許文献１】特開２０００−３０１８０５号公報
【特許文献２】特開平８−３１００７４号公報
【発明の開示】
【発明が解決しようとする課題】
【０００８】
上記の構成では、印刷データを受信してからプラテン間隔、紙間隔の間隔調整を行い、それが終了してから印刷を行う。このため、ユーザーがホストコンピュータ上などで印刷の実行を指示してから印刷が完了するまでにかかるトータルの印刷時間に、間隔調整にかかる時間が含まれることになり、トータルの印刷時間がその分だけ長くかかってしまうという問題があった。
【０００９】
このような問題は、インクジェット記録装置に限らず、プラテン間隔、紙間隔の間隔調整を行う必要がある他の方式の記録装置にも共通する。そこで本発明の課題は、記録媒体供給部にセットされた記録媒体の種類に応じて自動的に間隔調整を行えるとともに、上記トータルの印刷時間を短縮できる記録装置、その制御方法及び制御プログラムを提供することにある。
【課題を解決するための手段】
【００１０】
上記の課題を解決するため、本発明は、
記録媒体供給部にセットされたシート状の記録媒体を記録ヘッドとプラテンの間に供給し、記録ヘッドによりプラテン上の記録媒体に画像を記録する記録装置であって、複数種類の記録媒体に記録可能な記録装置において、
記録ヘッドとプラテンの間隔を変化させ調整する間隔調整手段と、
複数種類の記録媒体のそれぞれに対応して予め設定された記録ヘッドとプラテンの間隔の設定値を記憶した記憶手段と、
記録媒体供給部に記録媒体がセットされたことを検出するセット検出手段と、
該セット検出手段により記録媒体のセットが検出されたときに、セットされた記録媒体の種類を判別する判別手段と、
該判別手段により判別した記録媒体の種類に対応した前記間隔の設定値を前記記憶手段から取得する取得手段と、
記録ヘッドとプラテンの間隔の実際値を検出する間隔検出手段と、
前記取得手段により取得した前記間隔の設定値が前記間隔検出手段により検出された間隔の実際値と異なる場合に、前記間隔調整手段を駆動して、記録ヘッドとプラテンの間隔を変化させ、その実際値を前記取得した設定値に一致させるように制御する制御手段を有することを特徴とする。
【００１１】
また、本発明では、上記本発明の記録装置の構成に対応する記録装置の制御方法及び制御プログラムの構成を採用した。
【発明の効果】
【００１２】
本発明によれば、記録装置の記録媒体供給部にセットされた記録媒体の種類に応じて自動的に記録ヘッドとプラテンの間隔を調整することができ、記録画像の高画質化が図れる。しかも、記録媒体がセットされたときに間隔調整動作を行うので、ユーザーが印刷の実行を指示してから印刷が完了するまでのトータルの印刷時間を短縮することができる。また、セットされた記録媒体の種類に対応した記録ヘッドとプラテンの間隔の設定値が実際値と異なる場合に限って間隔調整動作を行うので、無駄に間隔調整動作を行うことがない。
【発明を実施するための最良の形態】
【００１３】
以下、図を参照して、本発明を実施するための最良の形態の実施例を説明する。ここでは、ホストコンピュータから送信される印刷データの印刷を行うプリンタであって、複数種類の記録媒体に印刷可能に構成されたインクジェット記録装置における実施例を示す。なお、本発明の技術はインクジェット方式以外の方式の記録装置にも適用できることは勿論である。
【実施例】
【００１４】
図１は、本発明の実施例によるインクジェット記録装置の制御系の構成を示すブロック図である。図１においてホストコンピュータ９以外が記録装置の構成である。ホストコンピュータ９上で印刷データが作成され、記録装置に送信される。
【００１５】
記録装置の構成において、１０は、ホストコンピュータ９と通信を行い、印刷データを受信するための通信回路である。
【００１６】
１１は、プラテン間隔、すなわち記録ヘッド１１２とプラテン２３（図２参照）の間隔を検出する間隔検出センサである。この間隔検出センサ１１は、例えばポテンショメータなどから構成される。ポテンショメータの場合、プラテン間隔、紙間隔の間隔調整のために記録ヘッド１１２を変位させる不図示の間隔調整機構の駆動部に連動してポテンショメータの抵抗値が変化し、センサの出力電圧が変化するものとする。
【００１７】
１２は、記録装置の記録媒体供給部である給紙部２２（図２参照）にセットされた記録媒体の種類（以下でも紙種という）を判別する紙種センサである。この紙種センサ１２は、例えば、記録媒体に光を照射する照明源と、記録媒体からの反射光を受ける光電センサと、光電センサの出力信号を処理して紙種を示す判別信号を生成する信号処理回路から構成される。
【００１８】
なお、本実施例では、紙種センサ１２を、給紙部２２に記録媒体がセットされたことを検出するセンサとして兼用する。そのために、紙種センサ１２は、記録媒体がセットされていないときの出力信号が、各種の記録媒体がセットされ、その種類が判別されているときの出力信号（判別信号）と異なる特定の信号になるものとする。こうすれば、記録媒体がセットされたときに紙種センサ１２の出力信号が前記特定の信号から判別信号に変化するので、紙種センサ１２の出力信号を監視していれば、記録媒体のセットを検出できる。勿論、紙種センサ１２以外に記録媒体のセットを検出する専用のセンサを設けても良い。
【００１９】
１３は、間隔センサ１１、紙種センサ１２、及び不図示の他のセンサの検出信号をＣＰＵ１７に入力する、すなわち検出結果を通知するためのインターフェースとしてのセンサ回路である。
【００２０】
１４Ａ，１４Ｂ，１４Ｃ…は、記録装置に複数設けられる各種モータである。そのうち、１４Ａは、記録ヘッド１１２を搭載した不図示のキャリッジを主走査方向に往復移動させるキャリッジ移動機構の駆動源としてのキャリッジモータである。１４Ｂは、給紙部２２（図２）にセットされた記録媒体を主走査方向に直交する副走査方向に沿って搬送して記録ヘッド１１２とプラテンの間に供給する紙送り機構の駆動源としての紙送りモータである。１４Ｃは、記録ヘッド１１２を変位させてプラテン間隔を調整する不図示の間隔調整機構の駆動源としての間隔調整モータである。
【００２１】
１５は、ＣＰＵ１７の制御に従って上記の各種モータ１４Ａ，１４Ｂ，１４Ｃ…を駆動するモータ駆動回路である。
【００２２】
１６は、記録装置のユーザーが各種の操作、例えば記録装置の電源のオン／オフや、ホストコンピュータ９との接続のオン／オフなどの操作を行うための操作ボタンなどが設けられた操作部である。
【００２３】
１７は、記録装置全体を制御するＣＰＵであり、ＲＯＭ１８に格納された制御プログラムを実行して各種の制御を行い、印刷動作および後述する間隔調整動作を制御する。
【００２４】
１８は、ＣＰＵ１７の制御プログラムを格納したＲＯＭである。ＲＯＭ１８に格納された制御プログラムには、後述する図４の制御手順に対応した間隔調整動作のための制御プログラムも含まれる。また、ＲＯＭ１８には図３に示す紙種−プラテン間隔テーブルのデータが格納されている。このテーブルは、本実施例の記録装置が記録可能な記録媒体の種類、例えば普通紙、光沢紙、封筒、厚紙、はがきなどの種類のそれぞれに対応して予め設定されたプラテン間隔の設定値Ｄ１、Ｄ２、Ｄ３、Ｄ４、Ｄ５…のデータテーブルである。ここで記録媒体の種類毎にそれぞれ厚さが所定であり、それぞれの厚さに応じて設定値Ｄ１、Ｄ２、Ｄ３、Ｄ４、Ｄ５…が設定される。すなわち、それぞれの設定値は、記録媒体の種類による厚さの違いにかかわらず紙間隔が一定になるように、厚い媒体では小さく、薄い媒体では大きく設定される。
【００２５】
また図１において１９は、ＣＰＵ１７がプログラム実行時に各種処理データを一時的に記憶するために用いるＲＡＭであり、印刷データの記憶にも用いられる。１１０は、記録装置の各部に電源電力を供給する電源回路である。１１１は、ＣＰＵ１７の制御のもとに記録ヘッド１１２を駆動するヘッド駆動回路である。記録ヘッド１１２は、これに設けられた複数のノズルからインク液滴を吐出するインクジェット方式の記録ヘッドである。
【００２６】
図２は、実施例の記録装置の給紙部周辺の機械的な構成を概略的に示している。
【００２７】
２１は記録媒体であり、図３の紙種−プラテン間隔テーブルに示された複数種類の記録媒体のいずれか１種類が択一的にセットされる。２２は記録媒体供給部としての給紙部であり、その上に記録媒体２１がセットされる。すなわち複数枚重ねて積載される。
【００２８】
給紙部２２上には紙種センサ１２が設けられており、給紙部２２にセットされた記録媒体２１の種類を判別（検出）する。厳密に云うと、複数枚重ねられた媒体の内で最上層の媒体の種類を判別する。また、先述のように、紙種センサ１２により、給紙部２２上に記録媒体２１がセットされたことを検出する。
【００２９】
また、２０は、１種類の記録媒体２１を所定の複数枚重ねて収納した記録媒体収納体としてのメディアパックである。給紙部２２上に記録媒体２１を直接セット可能とすると共に、メディアパック２０も破線で示すように給紙部２２上にセット可能（装着可能）として、メディアパック２０から記録媒体２１を供給するようにしてもよい。そうする場合、メディアパック２０に収納された記録媒体２１の種類の情報を例えばバーコードなどの印刷、あるいは磁気記録媒体の磁気記録などでメディアパック２０の表面に記録しておく。また、メディアパック２０の表面に記録された記録媒体２１の種類の情報を読み取る手段である破線で示す読取部２６を紙種の判別手段として紙種センサ１２と共に設けておく。この読取部２６により、給紙部２２上にメディアパック２０がセットされたことも検出できるものとする。勿論、メディアパック２０のセットを検出する専用のセンサを別に設けてもよい。また、メディアパック２０をセット不可としてもよい。ただし、以下ではメディアパック２０もセット可能とした構成として説明する。
【００３０】
２３は、記録ヘッド１１２と対向して固定され、記録ヘッド１１２により記録を受ける記録媒体２１を支持するプラテンである。
【００３１】
２４はピックアップローラ、２５は搬送ローラであり、それぞれ図１中の紙送りモータ１４Ｂの駆動により回転する。ピックアップローラ２４の回転により、給紙部２２上に複数枚重なってセットされている記録媒体２１の一番上の１枚が分離され給紙部２２から送り出される。送り出された記録媒体２１は搬送ローラ２５の回転によって主走査方向に垂直な副走査方向に沿った矢印Ｂ方向に送られ、記録ヘッド１１２とプラテン２３の間に供給される。そしてプラテン２３上で画像を記録された後、さらにＢ方向に送られて不図示の排紙部へ排出される。
【００３２】
記録ヘッド１１２は、図示していないが、図２の紙面に対して垂直な主走査方向に沿って架設されたガイド軸上に摺動可能に設けられたキャリッジ上に搭載されている。図１中のキャリッジモータ１４Ａの駆動によってキャリッジがガイド軸上を往復移動することにより、記録ヘッド１１２が主走査方向に沿って往復移動する。
【００３３】
また、ガイド軸は、プラテン２３に対して接近、離間する矢印Ａ方向に変位可能に設けられている。そして、ガイド軸は、図１中の間隔調整モータ１４Ｃを駆動源とする不図示のカムなどを用いた間隔調整機構の駆動によりＡ方向に変位する。これにより記録ヘッド１１２をＡ方向に変位させてプラテン間隔を変化させ調整することができる。プラテン間隔は間隔センサ１１によって検出される。その検出結果に基づいて間隔調整モータ１４Ｃの駆動を制御することにより、プラテン間隔を所望に調整することができる。
【００３４】
次に、本実施例の記録装置の動作を説明する。
【００３５】
図１の構成において、ホストコンピュータ９から印刷データが送信され、それを通信回路１０が受信すると、ＣＰＵ１７は受信した印刷データをＲＡＭ１９に格納する。そして記録装置の各部を制御して印刷データに応じた印刷動作を行なわせる。まず、紙送りモータ１４Ｂを駆動し、図２中のピックアップローラ２４、搬送ローラ２５及び不図示のローラを回転させ、給紙部２２から１枚の記録媒体２１を記録ヘッド１１２とプラテン２３の間に供給する。次に、キャリッジモータ１４Ａを駆動し、記録ヘッド１１２を主走査方向に移動させると共に、印刷データによる１バンド分の画像データに従って記録ヘッド１１２を駆動し、複数のノズルからインク液滴を吐出させ、１バンド分の画像を記録させる。１バンド分の記録が終了したら、記録媒体２１を１バンド分に対応した所定ピッチの送り量だけＢ方向に送る。この動作を繰り返すことにより、順次１バンド分ずつ印刷を行い、１頁の印刷が終了したら、その記録媒体２１を排紙し、次の記録媒体２１を記録ヘッド１１２とプラテン２３間に供給し、上記の動作を繰り返す。
【００３６】
このようにして、本実施例の記録装置では、印刷データを受信したら直ちに印刷動作を行なう。すなわち、従来の記録装置のように印刷データの受信直後にプラテン間隔、紙間隔の間隔調整動作を行うことはしない。その代わりに、印刷データの受信を待つ待機中で給紙部２２に新たに記録媒体２１が直接、あるいはメディアパック２０ごとセットされたときに間隔調整動作を行う。
【００３７】
その間隔調整動作を図４により説明する。図４は間隔調整動作を制御するＣＰＵ１７の制御手順を示すフローチャート図である。その制御手順に対応する制御プログラムがＲＯＭ１８に格納され、ＣＰＵ１７により実行される。
【００３８】
図４の制御手順では、まず待機中に紙種センサ１２と読取部２６の出力を監視し、給紙部２２に新たに記録媒体２１が直接セットされたか、あるいはメディアパック２０がセットされたことが検出されたか判断し、セットが検出されるのを待つ（ステップＳ４１）。
【００３９】
そして、セットされたことが検出されたら、紙種センサ１２あるいは読取部２６により、直接セットされた記録媒体２１の種類、あるいはセットされたメディアパック２０内の記録媒体２１の種類を判別する（ステップＳ４２）。
【００４０】
次に、ＲＯＭ１８に記憶された図３の紙種−プラテン間隔テーブルのデータを参照し、ステップＳ４２で判別した紙種に対応したプラテン間隔の設定値を取得する（ステップＳ４３）。また、間隔センサ１１の出力により、現在のプラテン間隔の実際値を取得する（ステップＳ４４）。
【００４１】
次に、ステップＳ４３で取得したプラテン間隔の設定値とステップＳ４４で取得したプラテン間隔の実際値を比較し、異なるか、一致するか判断する（ステップＳ４５）。
【００４２】
そして、一致していたらプラテン間隔調整は不要であるので、そのまま処理を終了する。一方、異なっていたらプラテン間隔調整を行う。すなわち、間隔調整モータ１４Ｃを駆動し、記録ヘッド１１２を変位させてプラテン間隔を変化させ、プラテン間隔の実際値をステップＳ４３で取得した設定値に一致させるように制御する（ステップＳ４６）。そして処理を終了する。
【００４３】
なお、以上の図４の制御動作は、記録装置の電源が投入された直後も勿論行うが、そのとき既に記録媒体が記録装置にセットされている場合は、ステップＳ４１で新たにセットされたものと見なしてステップＳ４２以下の処理を行うようにする。
【００４４】
以上のように、本実施例の記録装置では、待機中で給紙部２２に記録媒体２１またはメディアパック２０がセットされたとき（セットが検出されたとき）に間隔調整動作を行う。そして、印刷データを受信したときは従来のように間隔調整動作を行うことなしに直ちに印刷動作を行なう。したがって、ユーザーが印刷の実行を指示してから印刷が完了するまでにかかるトータルの印刷時間を短縮することができる。また、セットされた記録媒体の種類に対応したプラテン間隔の設定値がプラテン間隔の実際値と異なる場合に限って間隔調整動作を行うので、無駄に間隔調整動作を行うことがない。そして、セットされた記録媒体の種類による厚さに応じて自動的に間隔調整を行って記録画像の高画質化が図れることは勿論である。
【００４５】
なお、実施例では間隔調整のために記録ヘッド１１２を図２中のＡ方向に変位させるものとしたが、プラテン２３をＡ方向に変位させるようにしても良い。
【図面の簡単な説明】
【００４６】
【図１】本発明の実施例によるインクジェット記録装置の制御系の構成を示すブロック図である。
【図２】同記録装置の給紙部周辺の機械的構成を概略的に示す説明図である。
【図３】同記録装置でプラテン間隔の調整の制御に用いられる紙種−プラテン間隔テーブルの内容を示す表図である。
【図４】同記録装置における間隔調整動作の制御手順を示すフローチャート図である。
【図５】従来の記録装置における間隔調整動作の制御手順を示すフローチャート図である。
【符号の説明】
【００４７】
９  ホストコンピュータ
１１  間隔センサ
１２  紙種センサ
１４Ａ  キャリッジモータ
１４Ｂ  紙送りモータ
１４Ｃ  間隔調整モータ
１７  ＣＰＵ
１８  ＲＯＭ
１９  ＲＡＭ
２０  メディアパック
２１  記録媒体
２２  給紙部
２３  プラテン
２４  ピックアップローラ
２５  搬送ローラ
１１２  記録ヘッド
【図１】
2007160813.tif 000003
【図２】
2007160813.tif 000004
【図３】
2007160813.tif 000005
【図４】
2007160813.tif 000006
【図５】
2007160813.tif 000007